(57)【要約】【課題】  小型軽量でメンテナンス性が良く、消火設備用送水管装置に用いて好適な逆止弁ユニットを提供すること。【解決手段】  左右開口の円筒状の送水管の両端開口部にフランジを設け、該送水管の内周面に円筒中心方向に向かって環状弁座を突設し、該環状弁座の直径に沿って該環状弁座を左右に二分する直線状の中央弁座を設けることにより上記送水経路に２つの半円形通路を形成し、上記中央弁座の下流側に中央弁座に沿う共通中心軸を設け、一対の半円形開閉弁の各直線部分を上記共通中心軸に回動可能に軸支し、附勢手段により上記両半円形開閉弁を常時上記環状弁座及び中央弁座に密着して上記両半円形通路を閉鎖し得る逆止弁を構成し、上記逆止弁の上流側及び下流側に各々排水口を貫設した消火設備用の逆止弁ユニットにより構成される。【選択図】  図１
2010053681.tif 000002
【特許請求の範囲】
【請求項１】
左右開口の円筒状の送水管の両端開口部にフランジを設け、
該送水管の内周面に円筒中心方向に向かって環状弁座を突設すると共に、該環状弁座の直径に沿って該環状弁座を左右に二分する直線状の中央弁座を設け、これにより上記送水管の送水経路に２つの半円形通路を形成し、
上記中央弁座の下流側に中央弁座に沿う共通中心軸を設け、一対の半円形開閉弁の各内側直線部分を上記共通中心軸に回動可能に軸支すると共に、附勢手段により上記両半円形開閉弁を常時上記環状弁座及び中央弁座に密着することにより上記両半円形通路を閉鎖し得る逆止弁を構成し、
かつ上記逆止弁と上流側の上記フランジ間の一次側送水経路に排水口を貫設すると共に、上記逆止弁と下流側の上記フランジ間の二次側送水経路に排水口を貫設したものであることを特徴とする消火設備用の逆止弁ユニット。
【請求項２】
上記一次側送水経路と二次側送水経路の各排水口には排水弁が各々接続されたものであることを特徴とする請求項１記載の消火設備用の逆止弁ユニット。
【請求項３】
上記下流側フランジに止水弁ユニットを接続した状態において、上記半円形開閉弁と上記止水弁ユニットの開閉弁の全開時において、両開閉弁の端部の間隔が近接するように構成したものであることを特徴とする請求項１又は２記載の消火設備用の逆止弁ユニット。
【請求項４】
請求項１又は２記載の消火設備用の逆止弁ユニットを用いた消火設備用送水管装置であって、
地面に所定深さの凹部を形成し、当該凹部内に送水管収納ケースを嵌合し、該収納ケースの対向面に一次側送水管と二次側送水管を対向配管し、
上記一次側送水管に上記逆止弁ユニットを接続し、当該逆止弁ユニットの下流側に止水弁ユニットを介して上記二次側送水管を接続したものであることを特徴とする上記逆止弁ユニットを用いた消火設備用送水管装置。
【請求項５】
請求項１又は２記載の消火設備用の逆止弁ユニットを用いた消火設備用送水管装置であって、
地面に所定深さの凹部を形成し、当該凹部内に送水管収納ケースを嵌合し、該収納ケースの対向面に一次側送水管と二次側送水管を対向配管し、
上記一次側送水管に上記逆止弁ユニットを接続し、当該逆止弁ユニットの下流側に止水弁ユニット及び太鼓管を介して上記二次側送水管を接続したものであることを特徴とする上記逆止弁ユニットを用いた消火設備用送水管装置。
【発明の詳細な説明】
【技術分野】
【０００１】
本発明は、例えば高層ビルディング等の建築物において、建築物に近接する地上に設置された送水口と建築物内に設置された消火栓とを結ぶ送水管経路途中等に介設されるものであって、送水口から消火栓への消火水の送水、逆流防止、排水等を行うための消火設備用送水管装置に関し、当該装置において好適な逆止弁ユニット及びそれを用いた消火設備用送水管装置に関するものである。
【背景技術】
【０００２】
従来、この種の消火設備用送水管装置は、逆流防止、止水、排水等の機能の必要性から、逆止弁、止水弁、排水弁を備えた複数の短管を連結することにより構成されており、当該送水管装置は送水口とビル側の送水配管とを結ぶ配管経路途中において、ビルに近接した地中のコンクリート桝内に設けられている。
【０００３】
この送水管装置の施工は、逆止弁、排水弁、止水弁を各々短い送水管内に予め収納した逆止弁短管、排水弁短管、止水弁単管を用意し、これらの単管を上記コンクリート桝内において、フランジを用いて連結することにより連結送水管装置を構成するものが提案されている（特許文献１）。
【０００４】
また、逆止弁、止水弁を単管内に形成し、これら複数の単管を収納ケース内において排水弁付の継手によって連結することにより連結送水管装置を構成するものが提案されている（特許文献２）。
【０００５】
【特許文献１】特開平１０−２５７７５号公報
【特許文献２】特開平１１−２２６１４６号公報
【発明の概要】
【発明が解決しようとする課題】
【０００６】
ところで、特許文献１に記載の装置は、逆止弁単管は逆止弁の機能しか有しておらず、逆止弁の両側に排水弁専用の単管を２つ連結する必要があり、さらに一方の排水弁単管に止水弁単管を接続する必要があるので、連結部分が増加すると共に、送水管全体の構成が大型化し、多くの単管をフランジにより接続する必要があることから、施工作業に多くの手間を要するとの課題がある。
【０００７】
特許文献２に記載の装置は、逆止弁が水流方向に平行に摺動する弁体を用いたピストン型であるため、逆止弁単管自体が左右方向に長く大型化し、全体として連結送水管装置自体が大型化するという課題があるし、継手に排水口が設けられており、排水口開閉用のハンドルも継手自体に設けられているため、ハンドルの開閉作業に起因して継手の耐久性にも課題がある。
【０００８】
本発明は上記従来装置の課題に鑑みてなされたものであり、小型軽量に構成することができると共に、現場での施工の作業性を向上することのできる消火設備用の逆止弁ユニット及びそれを用いた消火設備用送水管装置を提供することを目的とする。
【課題を解決するための手段】
【０００９】
上記の目的を達成するため本発明は、
第１に、左右開口の円筒状の送水管の両端開口部にフランジを設け、該送水管の内周面に円筒中心方向に向かって環状弁座を突設すると共に、該環状弁座の直径に沿って該環状弁座を左右に二分する直線状の中央弁座を設け、これにより上記送水管の送水経路に２つの半円形通路を形成し、上記中央弁座の下流側に中央弁座に沿う共通中心軸を設け、一対の半円形開閉弁の各内側直線部分を上記共通中心軸に回動可能に軸支すると共に、附勢手段により上記両半円形開閉弁を常時上記環状弁座及び中央弁座に密着することにより上記両半円形通路を閉鎖し得る逆止弁を構成し、かつ上記逆止弁と上流側の上記フランジ間の一次側送水経路に排水口を貫設すると共に、上記逆止弁と下流側の上記フランジ間の二次側送水経路に排水口を貫設したものであることを特徴とする消火設備用の逆止弁ユニットにより構成される。
【００１０】
このように逆支弁ユニットを構成することにより、逆支弁ユニット自体の大きさを小型化できると共に、逆支弁ユニット内の一次側送水経路及び二次側送水経路に各々排水弁を設けることができ、排水機能をも有する逆支弁ユニットを極めて小型軽量に構成することができる。
【００１１】
第２に、上記一次側送水経路と二次側送水経路の各排水口には排水弁が各々接続されたものであることを特徴とする上記第１記載の消火設備用の逆止弁ユニットにより構成される。
【００１２】
このように構成すると、一次側及び二次側の排水機能をも有する単独の逆支弁ユニットを非常に小型軽量に構成することができる。
【００１３】
第３に、上記下流側フランジに止水弁ユニットを接続した状態において、上記半円形開閉弁と上記止水弁ユニットの開閉弁の全開時において、両開閉弁の端部の間隔が近接するように構成したものであることを特徴とする上記第１又は２記載の消火設備用の逆止弁ユニットにより構成される。
【００１４】
このように構成すると上記半円形開閉弁と上記開閉弁の間隔を近接した最小の間隔とすることで逆支弁ユニットに止水弁ユニットを接続した状態の消火設備用送水管を極めて小型に構成することができる。
【００１５】
第４に、上記第１又は２記載の消火設備用の逆止弁ユニットを用いた消火設備用送水管装置であって、地面に所定深さの凹部を形成し、当該凹部内に送水管収納ケースを嵌合し、該収納ケースの対向面に一次側送水管と二次側送水管を対向配管し、上記一次側送水管に上記逆止弁ユニットを接続し、当該逆止弁ユニットの下流側に止水弁ユニットを介して上記二次側送水管を接続したものであることを特徴とする上記逆止弁ユニットを用いた消火設備用送水管装置により構成される。
【００１６】
このように構成すると、送水管の接続箇所が少なく施工の容易な消火設備用送水管装置を実現することができる。
【００１７】
第５に、上記第１又は２記載の消火設備用の逆止弁ユニットを用いた消火設備用送水管装置であって、地面に所定深さの凹部を形成し、当該凹部内に送水管収納ケースを嵌合し、該収納ケースの対向面に一次側送水管と二次側送水管を対向配管し、上記一次側送水管に上記逆止弁ユニットを接続し、当該逆止弁ユニットの下流側に止水弁ユニット及び太鼓管を介して上記二次側送水管を接続したものであることを特徴とする上記逆止弁ユニットを用いた消火設備用送水管装置により構成される。
【００１８】
このように構成すると、送水管の接続箇所が少なく施工の容易な消火設備用送水管装置を実現することができる。また、太鼓管により二次側送水管の振動等が直接止水弁ユニットに伝達されることはない。
【発明の効果】
【００１９】
本発明によれば、逆支弁ユニット自体の大きさを小型化できると共に、逆支弁ユニット内の一次側送水経路及び二次側送水経路に各々排水弁を設けることができ、排水機能をも有する逆支弁ユニットを極めて小型軽量に構成することができる。
【００２０】
また、逆支弁ユニットの半円形開閉弁と、該逆支弁ユニットに接続した止水弁ユニットの開閉弁との間隔を最小に構成することにより、逆支弁ユニットに止水弁ユニットを接続した状態の消火設備用送水管を極めて小型に構成することができる。
【００２１】
また、本発明の逆止弁ユニットを消火設備用送水管として用いることで、送水管の接続箇所が少なく施工の容易な消火設備用送水管装置を実現することができる。
【図面の簡単な説明】
【００２２】
【図１】本発明に係る逆支弁ユニットの平面断面図である。
【図２】同上逆止弁ユニットの側面断面図である。
【図３】同上逆止弁ユニットの二次側の横断面図である。
【図４】同上逆止弁ユニットの一次側の正面図である。
【図５】同上逆止弁ユニットの側面図である。
【図６】同上逆止弁ユニットの斜視図である。
【図７】同上逆止弁ユニットを用いた消火設備用送水管装置の平面図である。
【図８】同上送水管装置の正面図である。
【図９】同上送水管装置の側面図である。
【図１０】同上送水管装置の他の実施形態の平面図である。
【図１１】同上送水管装置の他の実施形態の側面図である。
【発明を実施するための形態】
【００２３】
図１、図２は本発明に係る消火設備用送水管の逆止弁ユニットの断面図であり、図１は平面断面図、図２は側面断面図を示している。
【００２４】
これらの図において、１は逆止弁ユニットであり、当該逆止弁ユニット１は、左右両端円形開口部（両端開口部）１ａ，１ａ’を有する円筒状本体１’と、左右両端円形開口部１ａ，１ａ’に上記円筒状本体１’と一体に設けられた円環状フランジ１ｂ，１ｂ’を具備しており、内部に円筒状の送水経路Ｒが形成されている。尚、上記フランジ１ｂ，１ｂ’は、送水管に用いられるＪＩＳ規格のフランジ（１２個の孔Ｈ、図３等参照）であり、当該逆止弁ユニット１に接続される既存の送水管１８，２１等のフランジ１８ａ，２１ａと同一寸法に形成されている（図９参照）。
【００２５】
この逆止弁ユニット１の円筒状本体１’の内周面１”の略中央部には、環状弁座２が内周面から円筒中心軸Ｍ方向（円筒中心方向）に突出形成されている。この環状弁座２は、流水方向である矢印Ａ方向に向かう面（一次側送水路Ｒ１側の面）が筒状本体中央部に向かう傾斜面２ａを有しており、二次側には、最小径部２ｂから上記内周面１”に向かって垂直面からなる弁座２ｃが形成されている。尚、この逆止弁ユニット１内において、環状弁座２より上流側の送水経路を一次側送水経路Ｒ１、上記環状弁座２より下流側の送水経路を二次側送水経路Ｒ２という。
【００２６】
３は上記円筒状本体１’の内部において、上記環状弁座２の上記傾斜面２ａによって構成される環状部分（又は円筒状本体１’）の直径線Ｎ（図４）に沿って上下方向に設けられた支柱であり、当該支柱３の下流側平面に、後述の止水用ディスク（半円形開閉弁）４ａ，４ｂの内側直線部分４ａ’，４ｂ’が当接する内側中央弁座（中央弁座）３ａが形成されている。この中央弁座３ａは、上記環状弁座２の直径に沿って該環状弁座２を左右に二分するように設けられている。尚、上記環状弁座２と上記弁座３ａにより上記送水経路Ｒに略半円形の２つの半円形通路ＲａとＲｂとが形成されている（図４参照）。
【００２７】
４は上記環状弁座２及び中央弁座３ａに密着するように設けられたいわゆるウェハー型の逆止弁であって、上記一次側送水経路Ｒ１と二次側送水経路Ｒ２を止水する機能を有しており、以下の構成を有している。
【００２８】
５，５’は上記円筒状本体１’の中央部上下に設けられた膨出部であり、上記ウェハー型逆止弁４の共通中心軸６及び干渉防止軸７の上下端部を支持するものである。
【００２９】
上記中心軸６は上記ウェハー型の逆止弁４の２つの止水用ディスク４ａ，４ｂを回動可能に支持するものであり、上記環状弁座２の上記弁座２ｃより若干下流側において、筒状本体１’の上記直径線Ｎ及び上記内側中央弁座３ａに平行となるように、その上下端部を上記膨出部５，５’に軸支固定され、これにより上下方向に直立状態で固定されている。
【００３０】
上記干渉防止軸７は、上記中心軸６より若干下流側において、上記中心軸６に隣接して、該中心軸６に平行となるように、即ち上記円筒状本体１’の直径線Ｎに沿って、その上下端部を上記膨出部５，５’に同様に軸支固定され、これにより上下方向に直立状態で固定されている。
【００３１】
上記止水ディスク４ａ，４ｂは、各々半円形状を成しており、各々中央の内側直線部分４ａ’，４ｂ’が上記内側中央弁座３ａに密着し、かつ上記半円形部分（端部）４ａ”，４ｂ”が上記弁座２ｃに密着することにより、上記一次側送水経路Ｒ１と二次側送水経路Ｒ２を止水し得るように構成されている。
【００３２】
上記中心軸６の上下には支持筒８ａ，８ｂが回転可能に挿通されており、これら支持筒８ａ，８ｂから径方向に延出する支持板８ａ’，８ｂ’に上記一方の止水用ディスク４ａの下流側の板面４ｃが接着され（図３参照）、これにより上記止水用ディスク４ａは上記中心軸６の周りに矢印Ｂ，Ｃ方向に回動可能に軸支されている。
【００３３】
また、上記中心軸６の上記支持筒８ａ，８ｂに隣接した直下には、上下に支持筒９ａ，９ｂが回転可能に挿通されており、これら支持筒９ａ，９ｂから径方向に延出する支持板９ａ’，９ｂ’に上記止水用ディスク４ｂの下流側の板面４ｄが接着され（図３参照）、これにより上記止水用ディスク４ｂは上記中心軸６の周りに矢印Ｂ’，Ｃ’方向に回動可能に軸支されている。
【００３４】
１０ａ，１０ｂは、上記中心軸６の中央部上下に各々回動不能に巻回固定されたスプリング（附勢手段）であり、上部のスプリング１０ａはその一端１０ａ’を上記一方の止水用ディスク４ａの下流側板面４ｃに当接し、当該止水用ディスク４ａを止水位置、即ちその内側直線部分４ａ’が上記内側中央弁座３ａに密着し、かつ半円形部分４ａ”が上記弁座２ｃに密着する位置に一定の附勢力を以って矢印Ｃ方向に常時附勢している。
【００３５】
また、下部のスプリング１０ｂはその一端１０ｂ’を上記他方の止水用ディスク４ｂの下流側板面４ｄに当接し、当該止水用ディスク４ｂを止水位置、即ちその内側直線部分４ｂ’が上記内側中央弁座３ａに密着し、かつ半円形部分４ｂ”が上記弁座２ｃに密着する位置に一定の附勢力を以って矢印Ｃ’方向に常時附勢している。
【００３６】
従って、上記止水用ディスク４ａ，４ｂは、常時は上記スプリング１０ａ，１０ｂの附勢力によって図１の実線位置にあり、上記２つの半円形通路ＲａとＲｂを閉鎖することで、一次側送水路Ｒ１と二次側送水路Ｒ２を止水している状態にある。そして、矢印Ａ方向に水流が生じると、当該水流の圧力により上記止水用ディスク４ａ，４ｂが、スプリング１０ａ，１０ｂの附勢力に抗して矢印Ｂ，Ｂ’方向に開くことにより、一次側から二次側に水流が生じるものである。
【００３７】
そして上記止水用ディスク４ａ，４ｂは一次側送水経路Ｒ１から二次側送水経路Ｒ２への水流により、最大開度で図１の二点鎖線位置まで開くが、このとき、各ディスク４ａ，４ｂの支持板８ａ’，８ｂ’、９ａ’，９ｂ’が干渉防止軸７に当接することでそれ以上の回動を阻止される。
【００３８】
また、二次側送水路Ｒ２から一次側送水路Ｒ１に水流が生じた場合、或いは一次側送水経路Ｒ１から二次側送水経路Ｒ２への水流が消勢した場合は、上記水流又は上記スプリング１０ａ，１０ｂの復帰力により、止水用ディスク４ａ，４ｂが矢印Ｃ,Ｃ’方向に回動復帰し、一次側送水路Ｒ１と二次側送水路Ｒ２を止水することでウェハー型の逆止弁としての機能を果たすものである。
【００３９】
上記止水用ディスク４ａ，４ｂは、その最大開度の状態（図１の二点鎖線）においては、隣接して設置されたバタフライ式の止水弁ユニット１２（図１に二点鎖線で示す）の止水用ディスク（開閉弁）１３の最大開度の状態（全開時）において（図１、図２の状態）、当該止水用ディスク１３に干渉しない位置に設けられている。具体的には、止水用ディスク１３の全開状態において、止水用ディスク４ａ，４ｂの半円形部分４ａ”，４ｂ”の全開時の先端部（端部）４’，４’と、上記全開状態の止水用ディスク１３の端部との間には、最小の間隔（近接した最小の間隔）ｔが生じ、両者が干渉しないように設けられている。尚、間隔ｔは例えば１０ｍｍ〜２０ｍｍ程度に構成することができる。
【００４０】
１４は上記円筒状本体１’の上記逆止弁４と上流側の上記フランジ１ｂ間の一次側送水経路Ｒ１において、円筒状本体１’の下半部の側面に設けられた排水口、１５は上記筒状本体１の上記逆止弁４と下流側の上記フランジ１ｂ’間の二次側送水経路Ｒ２において、円筒状本体１’の下半部の側面に設けられた排水口であり、各々排水管１６，１６が接続されており、当該排水管１６，１６の端部に手動ハンドル１７ａによる排水弁１７が各々設けられている。
【００４１】
図１において、１２はいわゆるバタフライ弁を使用した止水用弁ユニットであり、汎用品を用いることができる。当該止水弁ユニット１２は止水用ディスク１３が矢印Ｄ,Ｅ方向に回動することにより、矢印Ｅ方向に水平位置まで回転し、上記二次側送水経路Ｒ２を下流側に連通する開放位置と、上記止水用ディスク１３が矢印Ｄ方向に垂直位置まで回転し、上記二次側送水経路Ｒ２と下流側を止水する止水状態を取り得るように構成している。
【００４２】
上記止水用ディスク１３の開閉は、該ディスク１３の中心軸Ｐと開閉ハンドル１６’の回転軸１６”とを傘歯車等を介してシャフト２５で連結することにより、上記開閉ハンドル１６’の開閉により上記止水用ディスク１３を任意に開閉駆動し得るように構成することができる。
【００４３】
この止水弁ユニット１２は上記止水用ディスク１３を内蔵する本体１２ａと、本体１２ａから水平方向に突出するハンドル取付部１２ｂと上記止水用ディスク１３を開閉するハンドル１６’から構成されている。
【００４４】
１８は上記止水弁ユニット１２にフランジ１８ａを介して接続された二次側送水管であり、上記フランジ１ｂ’と上記フランジ１８ａとをボルト及びナットにより接続することで、上記止水弁ユニット１２は上記逆止弁ユニット１のフランジ１ｂ’と上記二次側送水管１８のフランジ１８ａの間に挟持された状態で固定される。
【００４５】
本発明は上述のように構成されるものであるから、現場にて施工する場合は、地中にコンクリート桝等の送水管収納凹部（凹部）１９を凹設し（図７〜図９参照）、当該送水管収納凹部１９に上下面開口の直方体形状の送水管収納ケース２０を嵌合配置する。このとき、上記送水管収納ケース２０の下面は開口しており、地面が露出しているため砂利２３等を敷き詰め、排水（消火水）は地中に自然浸透させるものとする。尚、Ｇは地面である。
【００４６】
次に、上記送水管収納ケース２０の対向側面に一次側送水管２１と二次側送水管１８を地中より貫通配管し、一次側送水管２１のフランジ２１ａに逆止弁ユニット１の一次側フランジ１ｂを連結し、ボルト及びナットＳにより上記両フランジ２１ａ，１ｂを結合する。
【００４７】
また、上記逆止弁ユニット１の二次側に止水弁ユニット１２を介して二次側送水管１８を接続し、上記逆止弁ユニット１の二次側のフランジ１ｂ’と上記二次側送水管１８のフランジ１８ａとを、その間に上記止水弁ユニット１２を挟持した状態でボルト及びナットＳにより結合する。尚、このとき、逆止弁ユニット１の排水弁１７の排水口は地面側を向くように配置し、止水弁のハンドル１６’は上向きに取り付けることが好ましい（図８参照）。
【００４８】
その後、上記送水管収納ケース２０の上面開口を上蓋２２で閉鎖する。上記の場合は、通常は、逆止弁ユニット１は製造メーカが製造し、止水弁ユニット１２は現場における施工業者が準備して図７〜図９に示すように施工が行われる。
【００４９】
一方、製造メーカが逆止弁ユニット１と止水弁ユニット１２を接続した状態で施工業者に納品する場合がある。この場合は、図１０，１１に示すように、逆止弁ユニット１と止水弁ユニット１２及び単管（両端フランジ２４ａ，２４ｂを有する太鼓管）２４までを製造メーカが製造し、太鼓管２４を接続した状態で施工業者に納品する。この場合は、現場において、二次側送水管１８のフランジ１８ａに太鼓管２４の二次側のフランジ２４ｂを接続することになる。このように止水弁ユニット１２と二次側送水管１８との間に太鼓管２４を介することにより、地震その他による二次側送水管１８の動き、振動等が止水弁ユニット１２に直接伝達されないように構成することができ、振動等に強い消火設備用送水管装置を実現することができる。
【００５０】
以上のように本発明によれば、逆支弁ユニットをいわゆるウェハー型の逆支弁により構成したので、逆支弁ユニット自体の大きさを小型化できると共に、逆支弁ユニット内の一次側送水経路及び二次側送水経路に各々排水口（排水弁）を設けることができるので、排水機能をも有する逆支弁ユニットを極めて小型軽量に構成することができる。
【００５１】
また、逆支弁ユニットの一次側及び二次側に排水弁を有しているので、排水機能をも有する単独の逆支弁ユニットを非常にコンパクトに構成することができる。
【００５２】
また、逆止弁ユニットが小型軽量であるため、当該逆止弁ユニットをメンテナンス時に取り外し容易であり、地上にて容易に整備が可能である。
【００５３】
また、逆支弁ユニットの半円形開閉弁（止水用ディスク）と、該逆支弁ユニットに接続した止水弁ユニットの開閉弁（止水用ディスク）との全開時の間隔を近接した最小間隔に構成することにより、逆支弁ユニットに止水弁ユニットを接続した状態の消火設備用送水管を極めて小型に構成することができる。
【００５４】
また、本発明の逆止弁ユニットを消火設備用送水管として用いることで、送水管の接続箇所が少なく、逆止弁ユニットが小型軽量であるため、施工の容易な消火設備用送水管装置を実現することができる。
【００５５】
特に、地中埋設型の場合は、狭い場所での取り付け作業となるので、各送水管ユニットはできるだけ小型軽量で接続部分が少ないことが好ましいが、このような消火設備用送水管装置は本発明に係る小型軽量の逆止弁ユニットとすることにより実現することができるものである。
【００５６】
また、消火設備用送水管装置を、逆止弁ユニットと止水弁ユニットにて構成することができ、フランジの接続箇所が少ないので、経年変化により送水管装置自体からの漏水を極力減少させることができる。
【００５７】
また、送水管全体の長さを短く小型に構成することができるので、コンクリート桝又は収納ケースを小さく構成できると共に、上蓋も小さく構成することができる。
【００５８】
消火設備用送水管の地中埋設は、上蓋にトラック等の大型車両が乗ることもあり、大きな荷重がかかることを想定して設計することが必要となるが、本発明に係る逆止弁ユニットによると、送水管装置をできるだけ小型化することができ、設計の容易な消火設備用送水管装置を実現することができる。
【産業上の利用可能性】
【００５９】
本発明の逆止弁ユニットは、高層ビルディング等の各種建造物の消火設備用送水管装置として広く用いることができる。
【符号の説明】
【００６０】
１              逆止弁ユニット
１ａ，１ａ’    左右両端円形開口部
１ｂ，１ｂ’    フランジ
１”            内周面
２              環状弁座
２ｃ            弁座
３              支柱
３ａ            内側中央弁座（中央弁座）
４              逆止弁
４’            先端部（端部）
４ａ，４ｂ      止水用ディスク（半円形開閉弁）
４ａ’，４ｂ’  内側直線部分
４ａ”，４ｂ”  半円形部分
６              共通中心軸
１０ａ，１０ｂ  スプリング（附勢手段）
１２            止水弁ユニット
１３            止水用ディスク（開閉弁）
１４，１５      排水口
１７            排水弁
１８            二次側送水管
１９            送水管収納凹部（凹部）
２０            送水管収納ケース
２１            一次側送水管
２４            太鼓管
【図１】
2010053681.tif 000003
【図２】
2010053681.tif 000004
【図３】
2010053681.tif 000005
【図４】
2010053681.tif 000006
【図５】
2010053681.tif 000007
【図６】
2010053681.tif 000008
【図７】
2010053681.tif 000009
【図８】
2010053681.tif 000010
【図９】
2010053681.tif 000011
【図１０】
2010053681.tif 000012
【図１１】
2010053681.tif 000013